(57)【要約】【課題】串またはフォークをスリーブと呼ばれている補助具に容易に出し入れ自在に保持できること。また、食器を補助具から取り出す場合に、食材を入れた容器を入れている補助具をどこかに一旦置くことなく、一方の手で容器ごと補助具を持ち、他方の手で串などの食器を取り出すことができること。【解決手段】容器本体１を入れるスリーブと呼ばれている補助具１０の外側面に上部を開口したポケット部１１を一体に形成する。このポケット部１１に串６を挿入して、該串６をポケット部１１にて出し入れ自在に保持する。串６を補助具１０から取り出す場合、食材を入れた容器本体１を入れている補助具１０をどこかに一旦置くことなく、一方の手で容器本体１ごと補助具１０を持ち、他方の手で串６を取り出す。補助具１０は１枚もので構成され、第１接合部１２にてポケット部を形成している。【選択図】図１１
2014162482.tif 000002
【特許請求の範囲】
【請求項１】
食材を入れるコップ状の容器本体（１）は、材料を紙製あるいは樹脂製とし、一般に市販されているものであり、
前記容器本体（１）を内側に入れて該容器本体（１）を間接的に持つ補助具（１０）は、一般にスリーブと呼ばれているものであり、
前記補助具（１０）は、前記容器本体（１）の形状と同様の筒状に形成されていると共に、上下に貫通し上部に至るほど拡開しており、
前記容器本体（１）内に入れる食材が熱い場合であって、該容器本体（１）を直に持つと熱い場合に前記補助具（１０）内に該容器本体（１）を入れて該補助具（１０）にて前記容器本体（１）を間接的に持つようにした食品用容器の補助具であって、
前記補助具（１０）は１枚物のシート材（２０）からなり、
前記シート材（２０）を任意の箇所で二つ折りにし、該二つ折りにした部分より内方であって、上部を開口し、下部を閉塞するように線状的に接合し、該接合部分より外方部分にてポケット部（１１）を形成し、
前記シート材（２０）の両側の端部同士を接合し、
前記ポケット部（１１）の上部の開口を介して、串またはフォークを片手で出し入れ自在に保持するようにしていることを特徴とする食品用容器の補助具。
【請求項２】
食材を入れるコップ状の容器本体（１）は、材料を紙製あるいは樹脂製とし、一般に市販されているものであり、
前記容器本体（１）を内側に入れて該容器本体（１）を間接的に持つ補助具（１０）は、一般にスリーブと呼ばれているものであり、
前記補助具（１０）は、前記容器本体（１）の形状と同様の筒状に形成されていると共に、上下に貫通し上部に至るほど拡開しており、
前記容器本体（１）内に入れる食材が熱い場合であって、該容器本体（１）を直に持つと熱い場合に前記補助具（１０）内に該容器本体（１）を入れて該補助具（１０）にて前記容器本体（１）を間接的に持つようにした食品用容器の補助具であって、
前記補助具（１０）は１枚物のシート材（２０）からなり、
前記シート材（２０）に上下方向に形成した折り込み線（２１）を基準に二つ折りに重ね合わせ、前記折り込み線（２１）側より内側に、上部を開口し、下部は閉塞するようにした直線状の第１接合部（１２）にて二つ折りした部分を接合して略逆三角錐形状の収納部（１３）としたポケット部（１１）を形成し、
前記シート材（２０）の両側の端部同士を重ね合わせて該重ね合わせ部分を接合した端部接合部（３０）を、前記ポケット部（１１）以外の箇所に位置させ、
前記ポケット部（１１）の収納部（１３）に、串またはフォークを片手で出し入れ自在に保持するようにしていることを特徴とする食品用容器の補助具。
【請求項３】
食材を入れるコップ状の容器本体（１）は、材料を紙製あるいは樹脂製とし、一般に市販されているものであり、
前記容器本体（１）を内側に入れて該容器本体（１）を間接的に持つ補助具（１０）は、一般にスリーブと呼ばれているものであり、
前記補助具（１０）は、前記容器本体（１）の形状と同様の筒状に形成されていると共に、上下に貫通し上部に至るほど拡開しており、
前記容器本体（１）内に入れる食材が熱い場合であって、該容器本体（１）を直に持つと熱い場合に前記補助具（１０）内に該容器本体（１）を入れて該補助具（１０）にて前記容器本体（１）を間接的に持つようにした食品用容器の補助具であって、
前記補助具（１０）は１枚物のシート材（２０）からなり、
前記シート材（２０）に上下方向に形成した折り込み線（２１）を基準に二つ折りに重ね合わせ、前記折り込み線（２１）側より内側に、上部を開口し、下部は閉塞するようにした線状で略Ｌ字状の第１接合部（１２）にて二つ折りした部分を接合して略円筒状の収納部（１３）としたポケット部（１１）を形成し、
前記シート材（２０）の両側の端部同士を重ね合わせて該重ね合わせ部分を接合した端部接合部（３０）を、前記ポケット部（１１）以外の箇所に位置させ、
前記ポケット部（１１）の収納部（１３）に、串またはフォークを片手で出し入れ自在に保持するようにしていることを特徴とする食品用容器の補助具。
【請求項４】
前記折り込み線（２１）と対向する位置に第２の折り込み線（２２）を前記シート材（２０）の上下方向に形成し、
前記第２の折り込み線（２２）の両側に接合部（２５）をそれぞれ形成し、
前記接合部（２５）同士を接合して前記補助具（１０）の両側のポケット部（１１）を形成していることを特徴とする請求項１〜請求項３のいずれかに記載の食品用容器の補助具。
【請求項５】
前記ポケット部（１１）に保持されている串またはフォークの上部は、前記補助具（１０）より上方に突出していることを特徴とする請求項１〜請求項３のいずれかに記載の食品用容器の補助具。
【請求項６】
前記補助具（１０）の外周面に、図柄などのデザインを印刷していることを特徴とする請求項１〜請求項３のいずれかに記載の食品用容器の補助具。
【請求項７】
前記補助具（１０）の外周面に、広告を印刷していることを特徴とする請求項１または請求項１〜請求項３のいずれかに記載の食品用容器の補助具。
【請求項８】
前記補助具（１０）の外周面に広告を印刷した広告主のホームページへ携帯電話によりアクセス可能なコードを印刷していることを特徴とする請求項７に記載の食品用容器の補助具。
【発明の詳細な説明】
【技術分野】
【０００１】
本発明は、鶏肉、豚肉、牛肉などの唐揚げ物、おでん、団子、田楽、ミニドーナツ、オツマミなどの食材をコップ状の容器に入れて、該容器内の食材を指で摘むことなく、食材を食べることができるようにした食品用容器の補助具に関するものである。
【背景技術】
【０００２】
鶏肉、豚肉、牛肉などの唐揚げ物、おでん、団子、田楽、ミニドーナツ、オツマミなどの食材をコップ状の容器に入れ、これら食材を入れた容器ごと販売したり、あるいは無償でサービスとして提供する場合がある。
容器内の食材を食べる場合、指で直接食材を摘んで食べると、指が汚れてしまい、食べた後に指を舐めるか、水で洗うことになる。また、別途串を用いて食材を突き刺して食べる場合もある。
【０００３】
これらの串は、容器とは別途に置いてあり、予め容器に串が設けられておらず、店内などで食べる場合は、店内に置いてある串を用いて食べることができるが、一度、店などその場所から離れると、串を入手することができず、上述したように指を食材を摘んで食べざるを得ないことになる。
【０００４】
そこで、食材を入れる容器に串を備え付けたものとして、例えば、下記に示す特許文献１が挙げられる。
【先行技術文献】
【特許文献】
【０００５】
【特許文献１】特開２０００−３３９４８号公報
【０００６】
上記特許文献１は、焼き鳥、つくね、団子などの串刺し食品を容器に入れているものであり、つくね、焼き鳥、団子等の塊状の食品を縦方向に３〜４個程度を収容することができる高さを有する筒状容器若しくは箱状容器とし、該容器内に前記塊状の食品を上から容易に取り出すことができる開口面を有する仕切り、若しくは仕切り筒を係着し、複数の仕切り区分を構成しているものである。
【０００７】
また、各仕切り区分内には前記塊状の食品を串に刺さないバラの状態で縦方向に３〜４個程度を収容するようにしている。また、前記塊状の食品を串刺しするための串を別途収納袋に入れ、この串を入れた収納袋を容器の本体の一部に添付しているものである。
【発明の概要】
【発明が解決しようとする課題】
【０００８】
上記特許文献１では、収納袋内に串を入れておき、該収納袋を容器の外側面に係着しているために、串を使って容器内の串刺し食品を食べようとした場合、先ず、一方の手で容器を掴み、他方の手で収納袋を容器から取り外し、さらに、容器をどこかに置いて両方の手で収納袋を破いて収納袋から串を取り出して、やっと串刺し食品を食べることができる。
【０００９】
そのため、この特許文献１においては、串刺し食品を串を使って食べる場合に、串をすぐに取り出すことができず、利用者にイライラ感を与えてしまうことになる。また、収納袋から串を取り出す場合、両手で収納袋を破って串を取り出さなければならず、容器を一度どこかに置く必要がある。そのため、歩きながら串を取り出して串刺し食品を食べることが非常に困難であるという問題を有している。
【００１０】
ところで、コーヒーショップなどで、ホットコーヒーを注文した場合、紙製あるいは樹脂製でコップ状の容器にホットコーヒーが入れられてくるが、手で直に持つと熱いので、上下が貫通した円筒状でスリーブと呼ばれている補助具に入れて持つことができるようになっている。
この補助具は、容器を入れることで、補助具が容器の外側になって断熱し、容器の表面が熱くても補助具には熱が伝わりにくくなって、補助具を手で直に持つことができるものである。
【００１１】
また、熱い液体以外に容器に上述の熱い食材を入れた場合でも、人によっては容器を直に持つと熱く感じる場合もある。そこで、上記のスリーブと呼ばれている補助具を介して容器を持つ場合も生じる。
【００１２】
上記スリーブとしては、例えば、下記に示す特許文献２〜４が挙げられる。
【００１３】
【特許文献２】特開２００６−２７７２３号公報
【特許文献３】特開２００６−４４７２３号公報
【特許文献４】特開２０１０−７６７７７号公報
【００１４】
上記特許文献２は、内側面を凹凸状とし外側面を平面状とした段ボール紙を筒状にしたスリーブであり、このスリーブで冷えたビール等を入れた容器を持つことで、容器の外側面に発生する水滴を吸収し、手に水滴が付着しないようにしたものである。
【００１５】
また、上記特許文献３は、容器本体の胴部壁外周面に嵌合したスリーブのほぼ中間部に縦方向にスリットを全周にわたって所定の間隔毎に形成し、スリット間の部分を短冊片とし、該短冊片に横方向に罫線を入れたものである。そして、スリーブの上部を下方にスライドさせることで、短冊片が罫線の部分で折曲して、空気層を有する把持部を形成しているものである。
【００１６】
特許文献４では、スリーブである外筒の上方から下方にかけて略平行に伸びる４本の折れ線に沿って内方に折り込まれた内向きの突出部分を数カ所に形成している。この突出部分が形成された外筒をカップ本体に取り付けることにより、カップ本体の胴部と外筒との間に空隙が形成され、これにより、優れた断熱性を発揮するようにしている。
【００１７】
しかしながら、特許文献２では、スリーブにより吸水・吸湿効果にて水滴が落下しないようにしたものであり、また、特許文献３、４では、スリーブにより断熱効果にて容器を持ったときに熱くないようにしたものであり、後述するように串またはフォークを出し入れ自在に保持させるという思想は無い。
【００１８】
このように、特許文献１〜４では、紙製あるいは樹脂製でコップ状の容器や、該容器を入れる補助具は、容器や補助具単独であって、容器や補助具に食材を突き刺して食べる串などは装着されていない。
また、串などを出し入れ自在に保持する保持手段が容器や補助具に設けられておらず、近くに串などが無い場合では、食材を直接指で摘んで食べるしかなく、指が汚れるという問題があった。
【００１９】
本発明は上述の問題点に鑑みて提供したものであって、少なくとも以下の目的を持った食品用容器の補助具を提供するものである。
（１）串またはフォークをスリーブと呼ばれている補助具に容易に保持できるようにすること。
（２）串またはフォークを補助具から取り出す場合に、すぐに取り出すことができること。
（３）串またはフォークを補助具から取り出す場合に、食材を入れた容器を入れている補助具をどこかに一旦置くことなく、一方の手で容器ごと補助具を持ち、他方の手で串またはフォークを取り出すことができること。
（４）串またはフォークの先端部分は補助具から外部に露出させずに衛生的とすること。
（５）串またはフォークを出し入れ自在に保持するポケット部を形成した場合、ポケット部が容易に裂けるのを防止すること。
【課題を解決するための手段】
【００２０】
そこで、本発明の請求項１に記載の食品用容器の補助具では、食材を入れるコップ状の容器本体１は、材料を紙製あるいは樹脂製とし、一般に市販されているものであり、
前記容器本体１を内側に入れて該容器本体１を間接的に持つ補助具１０は、一般にスリーブと呼ばれているものであり、
前記補助具１０は、前記容器本体１の形状と同様の筒状に形成されていると共に、上下に貫通し上部に至るほど拡開しており、
前記容器本体１内に入れる食材が熱い場合であって、該容器本体１を直に持つと熱い場合に前記補助具１０内に該容器本体１を入れて該補助具１０にて前記容器本体１を間接的に持つようにした食品用容器の補助具であって、
前記補助具１０は１枚物のシート材２０からなり、
前記シート材２０を任意の箇所で二つ折りにし、該二つ折りにした部分より内方であって、上部を開口し、下部を閉塞するように線状的に接合し、該接合部分より外方部分にてポケット部１１を形成し、
前記シート材２０の両側の端部同士を接合し、
前記ポケット部１１の上部の開口を介して、串またはフォークを片手で出し入れ自在に保持するようにしていることを特徴としている。
【００２１】
請求項２に記載の食品用容器の補助具では、食材を入れるコップ状の容器本体１は、材料を紙製あるいは樹脂製とし、一般に市販されているものであり、
前記容器本体１を内側に入れて該容器本体１を間接的に持つ補助具１０は、一般にスリーブと呼ばれているものであり、
前記補助具１０は、前記容器本体１の形状と同様の筒状に形成されていると共に、上下に貫通し上部に至るほど拡開しており、
前記容器本体１内に入れる食材が熱い場合であって、該容器本体１を直に持つと熱い場合に前記補助具１０内に該容器本体１を入れて該補助具１０にて前記容器本体１を間接的に持つようにした食品用容器の補助具であって、
前記補助具１０は１枚物のシート材２０からなり、
前記シート材２０に上下方向に形成した折り込み線２１を基準に二つ折りに重ね合わせ、前記折り込み線２１側より内側に、上部を開口し、下部は閉塞するようにした直線状の第１接合部１２にて二つ折りした部分を接合して略逆三角錐形状の収納部１３としたポケット部１１を形成し、
前記シート材２０の両側の端部同士を重ね合わせて該重ね合わせ部分を接合した端部接合部３０を、前記ポケット部１１以外の箇所に位置させ、
前記ポケット部１１の収納部１３に、串またはフォークを片手で出し入れ自在に保持するようにしていることを特徴としている。
【００２２】
請求項３に記載の食品用容器の補助具では、食材を入れるコップ状の容器本体１は、材料を紙製あるいは樹脂製とし、一般に市販されているものであり、
前記容器本体１を内側に入れて該容器本体１を間接的に持つ補助具１０は、一般にスリーブと呼ばれているものであり、
前記補助具１０は、前記容器本体１の形状と同様の筒状に形成されていると共に、上下に貫通し上部に至るほど拡開しており、
前記容器本体１内に入れる食材が熱い場合であって、該容器本体１を直に持つと熱い場合に前記補助具１０内に該容器本体１を入れて該補助具１０にて前記容器本体１を間接的に持つようにした食品用容器の補助具であって、
前記補助具１０は１枚物のシート材２０からなり、
前記シート材２０に上下方向に形成した折り込み線２１を基準に二つ折りに重ね合わせ、前記折り込み線２１側より内側に、上部を開口し、下部は閉塞するようにした線状で略Ｌ字状の第１接合部１２にて二つ折りした部分を接合して略円筒状の収納部１３としたポケット部１１を形成し、
前記シート材２０の両側の端部同士を重ね合わせて該重ね合わせ部分を接合した端部接合部３０を、前記ポケット部１１以外の箇所に位置させ、
前記ポケット部１１の収納部１３に、串またはフォークを片手で出し入れ自在に保持するようにしていることを特徴としている。
【００２３】
請求項４に記載の食品用容器の補助具では、前記折り込み線２１と対向する位置に第２の折り込み線２２を前記シート材２０の上下方向に形成し、前記第２の折り込み線２２の両側に接合部２５をそれぞれ形成し、前記接合部２５同士を接合して前記補助具１０の両側のポケット部１１を形成していることを特徴としている。
【００２４】
請求項５に記載の食品用容器の補助具では、前記ポケット部１１に保持されている串またはフォークの上部は、前記補助具１０より上方に突出していることを特徴としている。
【００２５】
請求項６に記載の食品用容器の補助具では、前記補助具１０の外周面に、図柄などのデザインを印刷していることを特徴としている。
【００２６】
請求項７に記載の食品用容器の補助具では、前記補助具１０の外周面に、広告を印刷していることを特徴としている。
【００２７】
請求項８に記載の食品用容器の補助具では、前記補助具１０の外周面に広告を印刷した広告主のホームページへ携帯電話によりアクセス可能なコードを印刷していることを特徴としている。
【発明の効果】
【００２８】
本発明の請求項１に記載の食品用容器の補助具によれば、補助具１０は１枚物のシート材２０からなり、前記シート材２０を任意の箇所で二つ折りにし、該二つ折りにした部分より内方であって、上部を開口し、下部を閉塞するように線状的に接合し、該接合部分より外方部分にてポケット部１１を形成しているので、補助具１０の端部に上面を開口したポケット部１１を容易に形成することができる。また、ポケット部１１には接合部分はなく、連続した１枚ものとなっており、接合部分はポケット部１１の内方であるため、ポケット部１１の空洞部である収納部１３の形状が安定している。
しかも、ポケット部１１の端部には接合部分がないために、簡単に破けることがなく、串等を出し入れする際にポケット部１１が破損する恐れが少ない。
また、前記ポケット部１１の上部の開口を介して、串またはフォークを片手で出し入れ自在に保持するようにしているので、従来とは異なり、容器本体１を入れた補助具１０をどこかに一旦置く必要がなく、一方の手で補助具１０を持ち、他方の手で串またはフォークを容易に取り出すことができる。
【００２９】
請求項２に記載の食品用容器の補助具によれば、補助具１０は１枚物のシート材２０からなり、前記シート材２０に上下方向に形成した折り込み線２１を基準に二つ折りに重ね合わせ、前記折り込み線２１側より内側に、上部を開口し、下部は閉塞するようにした直線状の第１接合部１２にて二つ折りした部分を接合して略逆三角錐形状の収納部１３としたポケット部１１を形成しているので、補助具１０の端部に上面を開口したポケット部１１を容易に形成することができる。また、ポケット部１１の外側の端部が折り込み線２１となっていて接合部分はなく、連続した１枚ものとなっており、接合部分である第１接合部１２は補助具１０の内側に１本であるため、ポケット部１１の空洞部である収納部１３の形状が安定している。
しかも、ポケット部１１の端部には接合部分がないために、簡単に破けることがなく、串等を出し入れする際にポケット部１１が破損する恐れが少ない。
また、前記ポケット部１１に、串またはフォークを片手で出し入れ自在に保持するようにしているので、従来とは異なり、容器本体１を入れた補助具１０をどこかに一旦置く必要がなく、一方の手で補助具１０を持ち、他方の手で串またはフォークを容易に取り出すことができる。
【００３０】
請求項３に記載の食品用容器の補助具によれば、補助具１０は１枚物のシート材２０からなり、前記シート材２０に上下方向に形成した折り込み線２１を基準に二つ折りに重ね合わせ、前記折り込み線２１側より内側に、上部を開口し、下部は閉塞するようにした線状で略Ｌ字状の第１接合部１２にて二つ折りした部分を接合して略円筒状の収納部１３としたポケット部１１を形成しているので、補助具１０の端部に上面を開口したポケット部１１を容易に形成することができる。また、ポケット部１１の外側の端部が折り込み線２１となっていて接合部分はなく、連続した１枚ものとなっており、接合部分である第１接合部１２は補助具１０の内側に１本であるため、ポケット部１１の空洞部である収納部１３の形状が安定している。
しかも、ポケット部１１の端部には接合部分がないために、簡単に破けることがなく、串等を出し入れする際にポケット部１１が破損する恐れが少ない。
また、前記ポケット部１１に、串またはフォークを片手で出し入れ自在に保持するようにしているので、従来とは異なり、容器本体１を入れた補助具１０をどこかに一旦置く必要がなく、一方の手で補助具１０を持ち、他方の手で串またはフォークを容易に取り出すことができる。
【００３１】
請求項４に記載の食品用容器の補助具によれば、折り込み線２１と対向する位置に第２の折り込み線２２を前記シート材２０の上下方向に形成し、前記第２の折り込み線２２の両側に接合部２５をそれぞれ形成し、前記接合部２５同士を接合して前記補助具１０の両側のポケット部１１を形成しているので、補助具１０の両側のポケット部１１に串やフォークを出し入れ自在に保持することができ、頗る使い勝手が良い。
【００３２】
請求項５に記載の食品用容器の補助具によれば、ポケット部１１に保持されている串またはフォークの上部は、前記補助具１０より上方に突出しているので、串またはフォークを容易に掴んで補助具１０から取り出すことができる。また、串またはフォークの先端部分は、ポケット部１１内に位置しているので、販売者がポケット部１１に触れても、串またはフォークには直接触れないために衛生的である。
【００３３】
請求項６に記載の食品用容器の補助具によれば、補助具１０の外周面に、図柄などのデザインを印刷しているので、補助具１０の意匠的効果を発揮させることができる。
【００３４】
請求項７に記載の食品用容器の補助具によれば、補助具１０の外周面に、広告を印刷しているので、広告主から広告代を徴収することができ、その広告代により補助具１０の販売価格を安くすることができる。そのため、補助具１０を購入しようとする者にとっては、安価に補助具１０を購入することができる。
【００３５】
請求項８に記載の食品用容器の補助具によれば、補助具１０の外周面に広告を印刷した広告主のホームページへ携帯電話によりアクセス可能なコードを印刷しているものであり、これにより、アクセスした者が広告主のホームページにより多くの広告を見ることで、広告効果を一層発揮させることができる。
【図面の簡単な説明】
【００３６】
【図１】本発明の実施の形態における容器本体及び補助具の斜視図である。
【図２】本発明の実施の形態における補助具の平面図である。
【図３】本発明の実施の形態における補助具の正面図である。
【図４】本発明の実施の形態における補助具の接合部分を示す説明図である。
【図５】本発明の実施の形態における補助具を展開した場合の平面図である。
【図６】本発明の実施の形態における端部接合部の位置の説明図である。
【図７】補助具を形成する場合の他の例を示す説明図である。
【図８】補助具を形成する場合の他の例を示す説明図である。
【図９】補助具を形成する場合の他の例を示す説明図である。
【図１０】補助具を形成する場合の他の例を示す説明図である。
【図１１】本発明の実施の形態における補助具に容器本体を入れた場合の右側面図である。
【図１２】本発明の実施の形態におけるポケット部を補助具の両側に形成した場合の斜視図である。
【図１３】本発明の実施の形態における図１２に示す補助具を展開した場合の平面図である。
【図１４】本発明の実施の形態における図１２に示す接合部分を示す説明図である。
【図１５】本発明の実施の形態における補助具のポケット部の他の例を示す説明図である。
【図１６】本発明の実施の形態における補助具のポケット部の他の例を示す説明図である。
【図１７】本発明の実施の形態における補助具のシート材の端部の他の接合例を示す図である。
【発明を実施するための形態】
【００３７】
以下、本発明の実施の形態を図面を参照して詳細に説明する。図１は、容器本体１と、スリーブと呼ばれている補助具１０の斜視図を示している。
容器本体１は、紙製あるいは樹脂製でコップ状に形成されており、一般に市販されているものであり、また、コーヒーショップなどで提供される周知な形状のものであり、上部に至るほど拡開している。なお、容器本体１は紙材のみで形成されている場合や、紙材の一面（容器本体１の内面）に合成樹脂フィルムをラミメートして形成されている場合もある。
【００３８】
補助具１０は、上下に貫通して円筒状に形成されており、この補助具１０は、容器本体１の外側に被せる断熱用の素材で構成されている。補助具１０は、例えば、容器本体１と同様に紙材のみや、紙材の一面に合成樹脂フィルムをラミメートしている構成となっている。
容器本体１や補助具１０の大きさは特に限定されないが、容器本体１及び補助具１０は、片手で持ちやすい大きさとしている。
【００３９】
図２は補助具１０の平面図を、図３は補助具１０の正面図を示している。図１〜図３に示すように、補助具１０の外側（図３に示す正面から見た場合では補助具１０の一方側）には、串またはフォークの先端部分を出し入れ自在に保持する保持手段であるポケット部１１が該補助具１０に一体に形成されている。
補助具１０の上下面は貫通しており、略円筒状であり、上部に至るほど拡開している。
【００４０】
次に、補助具１０の構成について説明する。図４に示す補助具１０の右側の上下方向で細幅の斜線部分はポケット部１１を形成するための第１接合部１２を示している。また、補助具１０の左側の斜線部分は、補助具１０の端部同士を接合するための端部接合部３０を示している。
【００４１】
図５は補助具１０を形成する前の１枚物のシート材２０の平面図を示しており、シート材２０の中央より左方には山折りの折り込み線２１が設けられており、また、右方の端部接合部３０より内側には山折りの折り込み線２２が形成されている。
折り込み線２１を基準に左右に二つ折りに折り込むと共に、他方の折り込み線２２も折り込むことで、補助具１０を偏平にする。そして、図４に示すように、第１接合部１２では、シート材２０の内面の合成樹脂フィルムが対面しているので、例えば、高周波により合成樹脂フィルムを溶着させることで、上面が開口したポケット部１１を形成している。
【００４２】
他方、端部接合部３０では、図１に示すように、シート材２０の端部同士が重ね合わせた状態となっており、そのため、シート材２０の裏面の合成樹脂フィルムの面がシート材２０の表面の紙材に対面しているので、合成樹脂フィルムを溶着させて接合することができない。それで、端部接合部３０では接着剤による接合を行なっている。
端部接合部３０の面に予め接着剤を塗布しておき、折り込み線２１、２２を折り畳むことで、端部接合部３０にてシート材２０の重ね合わせ部分を接合すると共に、第１接合部１２では、上述したように溶着することで、補助具１０を形成することができる。
【００４３】
なお、第１接合部１２においても、溶着ではなく、接着剤による接合でも良い。
また、本実施形態の補助具１０では、ポケット部１１を１カ所だけ形成しているものであり、シート材２０の端部同士を重ね合わせた端部接合部３０の位置を図１及び図６に示すように、Ａの位置にしているが、ポケット部１１以外の箇所であれば、図６のＢ〜Ｅのいずれの位置に端部接合部３０を位置させても良い。なお、端部接合部３０の位置は、後述するように補助具１０の表面に図柄などのデザインや広告を印刷する場合には、図６に示すＤの位置が好適例である。かかる場合、補助具１０の正面側と背面側とにデザインや広告を綺麗に印刷することができる。
【００４４】
ここで、第１接合部１２では、細幅で線状に上下方向の全長にわたって接合することで、上部が開口し、底部が閉塞されたポケット部１１が形成され、このポケット部１１の上部を開口させて串などの先端部分を収納する空洞の収納部１３を形成している。この収納部１３の形状は、略逆三角錐形状となっている。
このポケット部１１にて、串またはフォークの先端部分を出し入れ自在に保持するようになっている。
【００４５】
なお、ポケット部１１を形成するための第１接合部１２では、細幅の線状としているが、点線状、またはプレスバインダー（ホッチキス針不使用）方式などで接合するようにしても良い。第１接合部１２の幅は、例えば、１ｍｍとしている。
【００４６】
また、補助具１０の材料に、紙材の内面にラミメートされた合成樹脂フィルムを用いない場合は、接着剤を用いて接着するようにしても良く、また、紙材の一面に合成樹脂フィルムをラミメートしている場合は、上記の高周波溶着の他にレーザーによる微細な貫通口を造ると同時に、ラミメートしているフィルムを溶かして溶着させるようにしても良い。
【００４７】
ここで、図７〜図１０は、２枚の平板１０ａ、１０ｂを重ね合わせて補助具１０を形成した場合を示している。図７に示す円弧状の２枚の平板１０ａ、１０ｂを図８に示すように重ね合わせ、一方の端部に上部は溶着あるいは接着しないで、略Ｖ字状で線状に接合することで、ポケット部１１を形成する。図中の１７が略Ｖ字状の接合した接合部であり、他方の端部には接合部１７にて接合して補助具１０を形成している。
図９はこのようにして形成された補助具１０の正面図を示し、図１０は補助具１０の平面図を示している。
【００４８】
図７〜図１０に示すように、ポケット部１１を形成するために、補助具１０の一方の端部には接合部１７が形成されており、ポケット部１１内に串を出し入れする際に、串の尖った先端が接合部１７の接合面を刺して接合部１７を裂けてしまうなどの破損する恐れがある。
【００４９】
しかしながら、本実施形態の補助具１０では、ポケット部１１の外側の端部が折り込み線２１となっていて接合部分はなく、連続した１枚ものとなっており、接合部分である第１接合部１２は補助具１０の内側に１本であるため、ポケット部１１の空洞部である収納部１３の形状が安定している。
しかも、ポケット部１１の端部には接合部分がないために、簡単に破けることがなく、串等を出し入れする際にポケット部１１が破損する恐れが少ない。
【００５０】
なお、補助具１０の材料としては、薄紙、段ボール紙、不織布、合成樹脂フィルムなど、食品衛生上使用に耐えるものを使用している。そして、使用する補助具１０の材料に応じて、溶着あるいは接着剤による接合を適宜行なうようにしている。
【００５１】
図１１は、容器本体１に補助具１０を装着し、補助具１０のポケット部１１に串６を出し入れ自在に保持している状態の正面図を示している。
【００５２】
前記容器本体１内には、鶏肉、豚肉、牛肉などの唐揚げ物、おでん、団子、田楽、ミニドーナツ、オツマミなどの食材が入れられて、これらの食材が入った状態で容器本体１が販売されたり、無償のサービスとして提供される。
補助具１０を用いる場合としては、例えば、容器本体１の中に入れる食材が熱くて容器本体１を持つことができない場合や、また、容器本体１に食材を入れる際に食材の汁や粉が容器本体１の表面に付着した場合がある。もちろん、それ以外に任意に補助具１０を用いる場合もある。
【００５３】
そして、容器本体１内に食材を入れる前、あるいは食材を容器本体１内に入れた後に、補助具１０を介して容器本体１を持つ際に、図１１に示すように、串またはフォーク（含簡易フォーク）、図示例では串６をポケット部１１に出し入れ自在に保持している。
串６を補助具１０のポケット部１１に差し込んで保持させるのは、ポケット部１１に予め串６を保持させておいても良く、また、補助具１０を介して容器本体１を持ってから串６をポケット部１１に保持させるようにしても良い。
【００５４】
また、串６の先端部分、図示例では串６の下半分程度を補助具１０のポケット部１１内に差し込んで保持させた場合、ポケット部１１の下部は閉塞されているので、串６の下部が外部に露出することはない。
【００５５】
このように、本実施形態では、容器本体１の断熱用の補助具１０の外側面にポケット部１１を設けているものであり、補助具１０のポケット部１１の収納部１３に串６の下部を挿入するだけで、串６を補助具１０に容易に保持させることができる。また、販売者が補助具１０単体、あるいは補助具１０を介した容器本体１を購入者に手渡す場合にも、販売者の指がポケット部１１に触れても串６には直接触れないために、衛生的である。
【００５６】
また、串６を補助具１０から取り出す場合にも、ポケット部１１の上下方向の長さは串６の長さより短くしていて、ポケット部１１に串６を差し込んだ状態では、串６の上部は補助具１０や容器本体１より上方に突出しているので、この突出している串６の上部を片手で持って単に引き上げるだけで、簡単に串６を補助具１０のポケット部１１から取り出すことができる。そして、取り出した串６を用いて容器本体１内の食材を突き刺して食べることで、指を汚すことなく食材を食べることができる。
【００５７】
特に、串６を補助具１０から取り出す場合、従来では、容器を一旦どこかに置いて串が入っている収納袋を容器から剥がして、該収納袋を両手で破って串を取り出すようにしていたが、本実施形態では、容器本体１を入れた補助具１０を一旦どこかに置く必要もなく、一方の手で補助具１０を持ち、他方の手で串６を簡単に取り出すことができるものである。
【００５８】
なお、串６を補助具１０のポケット部１１に出し入れ自在保持させた状態でも、ポケット部１１自体が外側に傾斜しているので、串６は補助具１０の外面に沿って突出した状態となっており、そのため、串６を保持させた状態でも、補助具１０自体、あるいは容器本体１を入れた状態での補助具１０を幾つか上下に重ね合わせることができる。
【００５９】
また、本実施形態では、食材を食べる場合に串６を例にして説明したが、串６に限らず、フォーク（含簡易フォーク）にも適用できるものである。
【００６０】
ここで、補助具１０の外周面に図柄などのデザインを印刷することで、補助具１０の意匠的効果を発揮させることができる。
また、補助具１０の外周面に広告を印刷することで、その広告主から広告代を徴収することができ、その広告代により補助具１０の販売価格を安くすることができる。そのため、補助具１０を購入しようとする者にとっては、安価に補助具１０を購入することができる。
【００６１】
なお、図１に示す補助具１０の正面側にデザインを印刷したり、裏面側に広告を印刷するようにしても良い。また、広告を印刷している面には、マトリックス型二次元コード（例えば、ＱＲコード（登録商標））を印刷しておき、このマトリックス型二次元コードから携帯電話により広告主のホームページにアクセスできるようにしても良い。
これにより、アクセスした者が広告主のホームページにより多くの広告を見ることで、広告効果を一層発揮させることができる。
【００６２】
図１２は補助具１０の両側にポケット部１１をそれぞれ設けた実施形態を示している。図１３は補助具１０を展開した平面図を示しており、折り込み線２２の両側に細幅で上下方向に接合部２５をそれぞれ形成している。端部接合部３０の構成は上記の実施形態と同様である。
折り込み線２１の両側の第１接合部１２と、折り込み線２２の両側の接合部２５とはそれぞれ合成樹脂フィルムが対面しているので溶着にて接合し、端部接合部３０では接着剤による接合をしている。図１４の斜線部分はこれらの接合部分を分かり易いように描いている。
【００６３】
上記の実施形態では、ポケット部１１の収納部１３の形状を略Ｖ字状（三角錐状）に形成していたが、図１５に示すように、ポケット部１１の形状を略円筒状にしたものであり、第１接合部１２を略Ｌ字型にして底部が閉塞され、上部を開口したポケット部１１を形成している。
また、図１６は補助具１０の両側にポケット部１１を形成したものであり、シート材２０の端部同士が重ね合わせた端部接合部３０はポケット部１１以外の任意の箇所に設けることになる。かかる場合でも上記補助具１０の場合と同様の効果を発揮させることができる。
【００６４】
図１２及び図１６に示す補助具１０の場合では、補助具１０の両側にポケット部１１をそれぞれ形成しているので、補助具１０の両側のポケット部１１に串やフォークを出し入れ自在に保持することができ、頗る使い勝手が良い。
【００６５】
ところで、先の実施形態では、ポケット部１１以外のシート材２０の両側の端部を重ね合わせて端部接合部３０に接合して補助具１０を形成していたが、シート材２０の両側の端部を重ね合わせずに補助具１０を形成するようにしても良い。
例えば、図１７に示すように、図９に示す場合と同様に、シート材２０の端部の内面同士を対面させ、その対面部分を接合した接合部１７により略円筒状で上部に至るほど拡開した補助具１０を形成するようにしても良い。
【００６６】
なお、ポケット部１１以外では、シート材２０の両側の端部の接合部分では、串またはフォークの先端部分が当たらず、補助具１０にて容器本体１を単に入れて持つだけなので、接合部１７が破損する恐れは無い。
また、上記接合部１７は、ポケット部１１以外の箇所であれば、任意に箇所で接合するようにしても良い。
【符号の説明】
【００６７】
１  容器本体
６  串
１０  補助具
１１  ポケット部
１２  第１接合部
１３  収納部
２０  シート材
２１  折り込み線
２２  折り込み線
３０  端部接合部
【図１】
2014162482.tif 000003
【図２】
2014162482.tif 000004
【図３】
2014162482.tif 000005
【図４】
2014162482.tif 000006
【図５】
2014162482.tif 000007
【図６】
2014162482.tif 000008
【図７】
2014162482.tif 000009
【図８】
2014162482.tif 000010
【図９】
2014162482.tif 000011
【図１０】
2014162482.tif 000012
【図１１】
2014162482.tif 000013
【図１２】
2014162482.tif 000014
【図１３】
2014162482.tif 000015
【図１４】
2014162482.tif 000016
【図１５】
2014162482.tif 000017
【図１６】
2014162482.tif 000018
【図１７】
2014162482.tif 000019